(57)【要約】      （修正有）【課題】特別な留め具を必要とせず、単にメガネを吊持するだけでなく、手軽に使用できると共にメガネの使用に便利な機能を有するメガネストラップを提供する。【解決手段】メガネクロスとして広く利用されているワイピングクロスをメガネのヒモ部材として使用することで、メガネ吊持中に生じたメガネのレンズの埃や指紋により汚れを、簡便にふき取ることができる。また、メガネストラップは、帯状に形成したワイピングクロスの両端の一部に切り込みを入れ、この切り込みを利用したループ部を形成し、このループ部にメガネのテンプルを通し、ループ部の径を調整し小さくすることでメガネのテンプルに固定させる。【選択図】図３
2005345754.tif 000002
【特許請求の範囲】
【請求項１】
メガネストラップを構成するヒモ部を帯状に形成し、その両端部に切り込みを設け、該ヒモ部の一部又は全部がワイピングクロスからなることを特徴とするメガネストラップ。
【請求項２】
ヒモ部の全部がワイピングクロスからなり、その中央部が両端部よりも幅広く、かつ該両端部に切り込みを設けてなる請求項１に記載のメガネストラップ。
【請求項３】
請求項１、２に記載されたメガネストラップによるメガネの吊持方法。
【発明の詳細な説明】
【技術分野】
【０００１】
本発明は、メガネを取り外した際にメガネを保持し、メガネの利便性の向上に寄与するメガネストラップに関する。
【背景技術】
【０００２】
メガネをはずした際に置き場に困らないよう、或いは常に持ち歩く必要がある場合、メガネのテンプル又はモダン部にヒモなどを適当な留め具で取り付け、首からつり下げて保持するメガネヒモ、メガネ保持具（以下、これらをメガネストラップという）が知られている。
【０００３】
従来のメガネストラップは、メガネとメガネストラップを連結する「留め具」と、首からつり下げる主体となる「ヒモ部」が主な構成部であり、更にはヒモ部を適当な長さに調節し固定できるように「調節部」が設けられているものがある。そして、留め具は取り付けやすさ、加工の容易さからゴム製のリングが利用されることが多く、また、ヒモ部の素材としては、金属製のチェーンやビーズ等を材料としたもの、リボン、ヒモ、天然・合成皮革、布、ナイロンなど様々な素材が利用されている。
【０００４】
例えば、軟質プラスチックの中空管状物からなり、前記中空管状物の中空部に液体が封入され、かつ中空管状物の両端部に眼鏡テンプル部への取り付け部が形成されていることを特徴とする眼鏡ストラップ（特許文献１）、適度な伸縮性を有する編み糸で斜め交差編みとし、かつパイプ状編み紐に形成された紐の両端部を、適度に広げて加熱処理加工により筒縁を形成した構成である眼鏡保持紐（特許文献２）、天然ゴムなどからなるスポンジ材を、伸縮性を有し且つ厚さの薄い合成繊維などからなる布で接着挟持した材料で造られた眼鏡用保持具（特許文献３）、一本の紐体と、この紐体の両端にそれぞれ設けられた眼鏡のつるが挿脱可能なつる保持部と、折返した前記紐体に摺動可能に嵌合して前記紐体を二本に束ねる止め具とを備えた眼鏡ホルダー（特許文献４）、内壁にポリエステル等の化学繊維が軸方向に沿って付着されたシリコーン製の２本のチューブを、上記化学繊維と同一の化学繊維からなる紐の両端に各々挿入して、チューブの端部内壁と紐の端部とを溶融着せしめると共に、ループ状にした紐の合せ部に、紐に沿ってスライド可能なストッパーを係止せしめたことを特徴とする眼鏡フレーム用紐バンド（特許文献５）、眼鏡を吊持する紐部の首当たり部がワイヤ状可撓性プラスチック磁石によって形成されていることを特徴とする磁気治療機能付き眼鏡ストラップ（特許文献６）等が開示されている。
【０００５】
また、本願出願人は、本願出願に先立ち、特別な取り付け具等が必要なく、身近な素材である市販されているひもやリボンのみで構成されるメガネストラップを考案し開示している（特許文献７）。
【特許文献１】実用新案登録第３０９７２４８号公報
【特許文献２】実用新案登録第３０１９７０９号公報
【特許文献３】実開平３−２９９１７号公報
【特許文献４】実開平３−１５３５２３号公報
【特許文献５】実開昭６０−１９１０２６号公報
【特許文献６】特開２００２−１６９１２９号公報
【特許文献７】実用新案登録第３０９５０１３号公報
【発明の開示】
【発明が解決しようとする課題】
【０００６】
上述のような既存のメガネストラップは、日常の使用時にメガネを吊持している際に生じるメガネレンズの埃や指紋による汚れに対応できるものではなく、あくまでもメガネを保持するためだけのものであり、それ以上の機能を有するものはないのが実情である。
【課題を解決するための手段】
【０００７】
本発明は、従来の技術を改善すべく検討されたものであり、特別な留め具を必要とせず、単にメガネを吊持するだけでなく、手軽に使用できると共にメガネの使用に便利な機能を有するメガネストラップを提供することを目的とする。そして本発明者らは検討を重ねた結果、メガネストラップの構成中、メガネを吊り下げて保持するヒモ部材として、メガネクロスにも使用されている化学繊維の素材であるワイピングクロスをヒモ部に利用することにより、メガネをはずして吊持している際にメガネのレンズに埃や指紋が付着しても容易にふき取ることができる、従来にはなかった利便性を有する新規のメガネストラップを想起するに至った。
【０００８】
本発明に係るメガネストラップは、メガネを保持するヒモ部の一部又は全部にワイピングクロスを使用することを特徴としており、その他の素材、構成、構造は従来公知のものを任意で流用することも可能である。
【０００９】
本発明に係るメガネストラップの主要部を成すワイピングクロスは、一般的に「メガネクロス」用の布の他、工業用の精密機器の清掃など、傷をつけずに微細な汚れをふき取ることができるものとして広く利用されている。これらのワイピングクロスは、太さ１〜５μｍのポリエステル、ナイロンなどの繊維を高密度に織り上げたもので、カネボウ合繊株式会社のＣＫワイパー、東レアイリーブ株式会社のトレシー、株式会社クラレのクランプシリーズ、株式会社章英のワイピングクロス１０１、帝人株式会社のミクロスターなどとして市販されており、これらを入手し利用することが可能である。これらのワイピングクロスをメガネを吊持するのに適度な形状、例えば長さ５０〜８０ｃｍの帯状体などに加工して本発明に供することができる。
【００１０】
ここで一般的なメガネストラップのヒモ部の寸法は、その素材にもよるが首への負担を軽減するため軽く細く形成されるのが従来の方法であり、チェーン、ビーズや紐を利用する場合は３ｍｍ程度、スポーツ用のゴムやベルトを利用する場合でも１〜２ｃｍ程度の幅のものが多用されている。
【００１１】
ところが本発明に係るメガネストラップは、単に首に掛けてメガネを吊持するだけでなく、メガネクロスとしての使用も可能であるから、メガネを拭けるだけの幅がヒモ部にあればよく、その幅は任意とすることができる。使用上の都合等を考えると１〜１０ｃｍ、好ましくは２〜５ｃｍ程度にすれば、見た目にも好ましい外観が得られ、また首への負担も分散されメガネストラップが食い込む等の不都合が解消されることとなる。
【００１２】
ヒモ部の幅は、メガネストラップ全体が同一の幅、例えば３ｃｍで統一されていてもよく、或いは首筋にあたるメガネストラップの中央部のみの幅を広くしたり、メガネが拭きやすいように両端部に近い部分の幅を広げたりと、任意の形状を取ることができる。そして、メガネストラップの幅が広くなることで、文字やロゴマークを印刷することが可能となり、ファッション性や視認性を向上させることもできる。
【００１３】
さらに、メガネストラップのヒモ部の一部のみにワイピングクロスを使用することによっても本発明の目的を達成することができる。例えば、ワイピングクロスを幅３ｃｍ、長さ１５ｃｍの長方形に加工し、この短辺に近い個所に穴を穿ち、この穴に紐状の保持部を通じてメガネストラップを構成することも可能である。この場合のヒモ部の素材には、従来より使用されている金属製のチェーン、ビーズ、リボン、紐、天然・合成皮革、布、ナイロンなどを利用すればよい。これにより、既存のメガネストラップを利用して本発明に係るメガネストラップを簡便に提供することができる。
【００１４】
次に、メガネのテンプル又はモダンの部分と、本発明に係るメガネストラップを用いたメガネの吊持方法であるが、従来使用されているゴムや軟質合成樹脂製のリング等による留め具を利用することも可能であるが、本発明においてメガネストラップ全部をワイピングクロスで構成する場合、ワイピングクロスの両端部に切り込みを入れ、その切り込みを利用し大きさを自由に調節できるループ部を形成し、このループ部にメガネのテンプル又はモダン部を通し、ループ部の径を調節し小さくすることで、本発明に係るメガネストラップをメガネのテンプル又はモダン部に固定させる方法が例示できる。該ループ部のメガネのテンプル又はモダン部への巻き付け方は、メガネが吊持できる程度に固定できるものであれば自由に取り付けることができる。例えば、ループ部を一重に巻き付け引き絞る方法、二重に巻き付ける方法など、使用者が任意で選択することができるが、脱落を避けるために二重に巻き付ける方法がより好ましい。
【００１５】
以上により特別な部材を使用することなく、帯状に加工したワイピングクロスに切れ込みを入れるだけという非常に簡便な方法によりメガネストラップを提供し、メガネに取り付けることが可能となる。
【００１６】
また、メガネストラップの一部にワイピングクロスを使用する場合、上述のように様々な素材を用いてヒモ部を構成することが可能であるが、メガネストラップを構成する部材を減らすことで簡便な提供が可能となるとの観点より、ヒモ部を帯状に加工し、該帯状体の両端部に切り込みを設け、ヒモ部全体をワイピングクロスで構成したものと同様の方法によりメガネに取り付けることが可能となる。
【００１７】
その他にも、既存のメガネストラップのように、メガネのテンプル又はモダン部にメガネストラップをつなぐ部分（留め具）に、天然・合成皮革、ゴムや軟質合成樹脂製のリング等を組み合わせてもよい。
【発明の効果】
【００１８】
以上のように、メガネクロスとして広く利用されているワイピングクロスをメガネのヒモ部の一部又は全部に使用することで、メガネ吊持中に生じた埃や指紋による汚れを簡便にふき取ることができる。また、本発明におけるメガネストラップは、帯状に形成したワイピングクロスの両端の一部に切り込みを入れただけの構成なので、製造も非常に容易であることから、高付加価値のメガネストラップを安価に提供することができる。
【発明を実施するための最良の形態】
【００１９】
以下、本発明の内容を以下の実施例を用いて具体的に説明するが、本発明はこれらに何ら限定されるものではない。
【００２０】
実施例１
カネボウ合繊株式会社製のワイピングクロスをロール状に加工したワイピングテープ「ザ  ヴィーナミニマックス」を長さ７０ｃｍ、その中央部から両端部へ向かう８ｃｍ間の幅を５ｃｍ、その他の部分の幅を１ｃｍとして形成し、当該ワイピングクロスの両端部から１ｃｍ内側の点から中央部方向へ向かい、長さ２ｃｍの切り込みを入れた。
【００２１】
このメガネストラップの両端に、上記切り込みを利用したループ部を設け、メガネのテンプルに二重に巻き付けて引き絞ることにより、メガネに固定した。
【００２２】
メガネをかけた際の状態は従来のメガネストラップと差はなく、メガネを取り外して吊持した場合も、メガネがループ部から抜け落ちる事なく保持されていた。また、吊持中に埃や指紋が付いたが、メガネストラップ自体がメガネクロスであるので、メガネケースに収納されているメガネクロスをわざわざ取り出す必要はなく、メガネストラップを首からはずすだけで簡単にレンズの汚れをふき取ることができた。レンズのふき取りはメガネストラップの何れの部位でも可能であるが、メガネストラップの幅が広くなっている中央部でのふき取りが容易であったが、幅が細い部分でも十分にレンズの汚れをふき取ることは可能であった。
【図面の簡単な説明】
【００２３】
【図１】本発明に係るメガネストラップ
【図２】メガネストラップのループ部
【図３】本発明に係るメガネストラップのメガネへの装着例
【符号の説明】
【００２４】
１  端部
２  切り込み
３  ループ部
４  中央部
５  メガネのテンプル及びモダン部
【図１】
2005345754.tif 000003
【図２】
2005345754.tif 000004
【図３】
2005345754.tif 000005